(57)【特許請求の範囲】
【請求項１】
偏光面が不揃いの光を偏光面の揃った光に変換する偏光変換光学系であって、
偏光面が互いに直交する第１の偏光成分と第２の偏光成分に対して異なる入射角依存性を有し、第１の入射角においては第１の偏光成分を透過させて第２の偏光成分を反射し、第２の入射角においては第２の偏光成分を透過させる誘電体多層膜と、
誘電体多層膜に第１の入射角で入射して誘電体多層膜を透過した光を、誘電体多層膜に第２の入射角で入射するように反射する反射素子と、
誘電体多層膜と反射素子の間に位置する１／４波長板と
を備えることを特徴とする偏光変換光学系。
【請求項２】
反射素子が反射型の回折素子であること特徴とする請求項１に記載の偏光変換光学系。
【請求項３】
誘電体多層膜の第１の入射角における第１の偏光成分の透過率が９９％以上であり、第１の入射角における第２の偏光成分の反射率が９９％以上であり、第２の入射角における第２の偏光成分の透過率が９５％以上であることを特徴とする請求項１に記載の偏光変換光学系。
【請求項４】
第１の入射角と第２の入射角の差が３０゜以下であることを特徴とする請求項１に記載の偏光変換光学系。
【請求項５】
請求項２に記載の偏光変換光学系を含み、誘電体多層膜と１／４波長板と回折素子が一体となっていることを特徴とする偏光変換素子。
【請求項６】
誘電体多層膜と１／４波長板の間または１／４波長板と回折素子の間に基板を備えることを特徴とする請求項５に記載の偏光変換素子。
【請求項７】
１／４波長板の表面に回折格子が形成されており、１／４波長板の表面部分が回折素子を兼ねることを特徴とする請求項５に記載の偏光変換素子。
【発明の詳細な説明】
【０００１】
【発明の属する技術分野】
本発明は、偏光面が不揃いの光を偏光面の揃った光に変換する偏光変換光学系、および偏光変換光学系を単一の素子とした偏光変換素子に関する。
【０００２】
【従来の技術】
偏光面が一定の直線偏光を利用する光学装置では、光の利用効率を高めるために、偏光面が不揃いの光を偏光面の揃った光に変換することが行われている。例えば、液晶表示器により照明光を変調する映像表示装置では、光源であるランプが発する無偏光（偏光面が無秩序な光）を偏光面の揃った光に変換し、変換後の光を照明光として液晶表示器に導くことで、明るい映像を提供するようにしている。
【０００３】
偏光面が不揃いの光を偏光面の揃った光に変換する偏光変換光学系の代表的な構成を図１０に示す。この偏光変換光学系５０は、偏光ビーム分離（ＰＢＳ）プリズム５１、１／２波長板５２、およびミラー５３より成る。ＰＢＳプリズム５１は、偏光分離膜５１ａを２つの三角プリズムで挟んで作製されている。偏光分離膜５１ａはｐ偏光を透過させてｓ偏光を反射するように設定された誘電体多層膜であり、偏光面が互いに直交する２つの偏光成分であるｐ偏光とｓ偏光を分離する。
【０００４】
１／２波長板５２は分離されたｐ偏光の直線偏光とｓ偏光の直線偏光のいずれかの光路上に配置され、入射する直線偏光の偏光面を９０゜回転させて他方の直線偏光の偏光面に一致させる。図１０は、偏光分離膜５１ａに対してｐ偏光であった偏光成分をｓ偏光の偏光成分とする場合を示している。
【０００５】
偏光分離膜を設けたＰＢＳプリズムに代えて、複屈折結晶を貼り合わせたＰＢＳプリズムを用いることにより偏光分離を行い、分離した一方の直線偏光の偏光面を１／２波長板で回転させるようにした偏光変換光学系もある。
【０００６】
近年では、複屈折回折格子によって偏光分離を行い、１／２波長板で偏光面を揃えるようにした偏光変換光学系が提案されている（例えば、特開平１０−１９７８２７号公報、特開２０００−１３７１９４号公報）。複屈折回折格子は、偏光面が互いに直交する２つの偏光成分に対する回折格子の回折効率の差を利用して、偏光分離を行うものである。
【０００７】
複屈折回折格子の構成を図１１に示す。複屈折回折格子６１は、複屈折性を有する液晶等の複屈折材料６２を、回折格子６３ａが形成された板状の部材６３と平板状の部材６４で挟んで作製されている。常光ｏに対する複屈折材料６２と部材６３の屈折率は等しく設定されており、異常光ｅに対する複屈折材料６２と部材６３の屈折率は相違する。したがって、異常光ｅは回折格子６３ａによって回折されて偏向し、常光ｏは回折されることなく直進する。これにより両偏光が分離される。
【０００８】
上記のいずれの偏光変換光学系も、変換対象とする光がどのような偏光状態であっても、そのほとんど全てを偏光面の揃った直線偏光とすることができる。したがって、これらの偏光変換光学系を備える光学装置は、光源からの光をきわめて効率よく利用することが可能である。
【０００９】
【発明が解決しようとする課題】
ところが、いずれの偏光変換光学系にも小型化が難しいという問題がある。図１０に示した偏光変換光学系５０では、正四角柱状のＰＢＳプリズム５１によって偏光分離を行うため、変換前の光ビームに沿う方向の大きさがビーム径以上となる。また、分離直後の２つの直線偏光が互いに垂直な方向に進むため、一方の光路を折り曲げるためのミラー５３が必要になって、光ビームに垂直な方向の大きさがビーム径の２倍以上になる。
【００１０】
複屈折結晶を貼り合わせたＰＢＳプリズムを用いる偏光変換光学系や、図１１の複屈折回折格子を用いる偏光変換光学系では、変換前の光ビームに沿う方向の大きさが偏光変換光学系５０よりもさらに大きくなる。偏光分離を行うための素子そのものは薄型であるものの、素子を透過した２つの偏光成分の光ビームの進行方向に大きな角度差がなく、両者が完全に分離するまでに長い光路が必要となるからである。変換前の光ビームに垂直な方向の大きさも、やはりビーム径の２倍以上になる。
【００１１】
複屈折を利用するこれらの偏光変換光学系は、マイクロレンズアレイと組み合わせれば、ある程度小型化することができる。一例として、図１１の複屈折回折格子６１にマイクロレンズアレイ６５を組み合わせた偏光変換光学系６０の構成を図１２に示す。複屈折回折格子６１の出射側の面にマイクロレンズアレイ６５が貼り合わされており、複屈折回折格子６１を透過した光はマイクロレンズ６５ａによって個別に収束ビームとされる。進行方向に差のある２つの偏光成分は異なる位置に収束し、収束ビームとなっているため早期に分離する。１／２波長板６６はマイクロレンズ６５ａと同数に分割されて、一方の偏光成分のビームの収束位置近傍に配置される。
【００１２】
偏光変換光学系６０では、変換前の光ビームに対して垂直な方向の大きさがビーム径の２倍未満となり、変換前の光ビームに沿う方向の大きさも小さくなる。しかし、それでも１／２波長板６６をマイクロレンズアレイ６５からビーム径程度離れた位置に配置する必要があり、光学系全体の小型化には限界がある。しかも、マイクロレンズアレイ６５と１／２波長板６６の相対位置を精度よく設定する必要があるから、組立工程も複雑になる。
【００１３】
複屈折結晶を貼り合わせたＰＢＳプリズムを用いる偏光変換光学系では、さらに、複屈折結晶が高価であり、また、複屈折結晶の貼り合わせ工程も複雑であるため、量産性に欠けるという問題もある。
【００１４】
本発明は、このような問題点に鑑みてなされたもので、小型で作製も容易な偏光変換光学系および偏光変換素子を提供することを目的とする。
【００１５】
【課題を解決するための手段】
上記目的を達成するために、本発明では、偏光面が不揃いの光を偏光面の揃った光に変換する偏光変換光学系を、偏光面が互いに直交する第１の偏光成分と第２の偏光成分に対して異なる入射角依存性を有し、第１の入射角においては第１の偏光成分を透過させて第２の偏光成分を反射し、第２の入射角においては第２の偏光成分を透過させる誘電体多層膜と、誘電体多層膜に第１の入射角で入射して誘電体多層膜を透過した光を、誘電体多層膜に第２の入射角で入射するように反射する反射素子と、誘電体多層膜と反射素子の間に位置する１／４波長板とで構成する。
【００１６】
この偏光変換光学系は、偏光変換の対象とする光を誘電体多層膜側から入射させて誘電体多層膜側に出射させる。誘電体多層膜に第１の入射角で入射する光のうち、第２の偏光成分は誘電体多層膜によって反射され、第１の偏光成分はこれを透過して１／４波長板に入射する。第１の偏光成分は、１／４波長板への入射時には直線偏光となっているが、１／４波長板を透過することにより円偏光となる。この円偏光は反射素子に達して反射される。反射された円偏光は再び１／４波長板を透過することにより、偏光面が９０゜回転した直線偏光、すなわち第２の偏光成分となって、誘電体多層膜に再入射する。
【００１７】
反射素子は誘電体多層膜への入射角が第２の入射角となるように光を反射するから、誘電体多層膜に再入射した第２の偏光成分はこれを透過する。したがって、最初に誘電体多層膜を透過した第１の偏光成分は、最初に誘電体多層膜で反射された成分と同じ第２の偏光成分として誘電体多層膜から出射することになり、偏光面が不揃いであった光は偏光面の揃った光に変換される。
【００１８】
誘電体多層膜や反射素子が１／４波長板から離間しているか否かは、上記の作用には影響しない。つまり、誘電体多層膜と反射素子が１／４波長板に接する構成とすることが可能であり、これにより、小型の偏光変換光学系とすることができる。
【００１９】
ここで、反射素子を反射型の回折素子とするとよい。反射型の回折素子は、正反射をするミラー等の通常の反射素子とは異なり、反射角が入射角と異なる設定とすることが可能である。したがって、第１の入射角で入射して誘電体多層膜を透過した光を第２の入射角で誘電体多層膜に再入射させるために、回折素子を誘電体多層膜に対して傾斜させる必要はなく、平行に配置することができる。回折素子を誘電体多層膜に対して平行に配置すると、偏光変換の対象とする光のビーム径がいくら大きくても厚さは増大せず、確実に小型の光学系とすることができる。
【００２０】
誘電体多層膜の第１の入射角における第１の偏光成分の透過率を９９％以上とし、第１の入射角における第２の偏光成分の反射率を９９％以上とし、第２の入射角における第２の偏光成分の透過率を９５％以上とするとよい。このようにすると、偏光状態がどのような光であっても、損失をごく僅かに抑え、かつ、偏光面の異なる偏光成分の混入がほとんどない光とすることができる。
【００２１】
また、第１の入射角と第２の入射角の差を３０゜以下とするとよい。偏光変換光学系から出射する第２の偏光成分には、第１の入射角と第２の入射角の差だけ進行方向の異なるものが存在することになる。この角度差を３０゜以下にすることで、偏光変換後の光を利用する他の光学素子や光学系での取扱いが容易になる。
【００２２】
前記目的を達成するために、本発明では、反射素子を反射型の回折素子とした構成の偏光変換光学系を、その誘電体多層膜と１／４波長板と回折素子を一体化して、偏光変換素子とする。回折素子は誘電体多層膜に平行にすることができるから、薄い板状の素子となる。また、単一の素子とすることで誘電体多層膜と回折素子が相互に固定され、後に両者の相対角度を調節する必要がなくなる。
【００２３】
ここで、誘電体多層膜と１／４波長板の間または１／４波長板と回折素子の間に基板を備えるとよい。基板は偏光変換の機能には関与しないが、これによって他の構成要素の固定や偏光変換素子の形状維持を容易にすることができる。
【００２４】
回折素子としては回折格子を用いるのが簡便である。この場合、表面に回折格子の形成された板状の部材を回折素子とすることができるし、１／４波長板の表面に回折格子を形成して、１／４波長板の表面部分が回折素子を兼ねる構成とすることもできる。
【００２５】
【発明の実施の形態】
以下、本発明の偏光変換光学系を単一の素子すなわち偏光変換素子とした実施形態について、図面を参照しながら説明する。第１の実施形態の偏光変換素子１の構成を図１に模式的に示す。偏光変換素子１は誘電体多層膜１１、回折格子１２、１／４波長板１３、および基板１４を備えている。
【００２６】
誘電体多層膜１１は、基板１４の表面に設けられており、屈折率の異なる複数の誘電体を多重に積層することにより作製されている。誘電体多層膜１１は、光に対する透過率と反射率が入射角によって変化する入射角依存性を有し、かつ、ｐ偏光に対する入射角依存性とｓ偏光に対する入射角依存性が相違するように設定されている。
【００２７】
回折格子１２は板状の部材１２ａの表面に形成されている。回折格子１２は部材１２ａ側から入射する光を部材１２ａ側に反射しつつ、反射光に回折を生じさせるように設定されており、回折格子１２を有する部材１２ａは反射型の回折素子となる。
【００２８】
１／４波長板１３は基板１４に貼り付けられており、部材１２ａは１／４波長板１３に貼り付けられている。部材１２ａ、１／４波長板１３および基板１４はいずれも平板状であり、互いに平行である。なお、ここでは貼り合わせによって構成要素を一体化しているが、周辺部を誘電体多層膜１１側からと部材１２ａ側から挟みつけることによって構成要素を一体化することもできる。
【００２９】
偏光変換素子１は、偏光変換の対象とする光を誘電体多層膜１１側から入射させて、偏光変換した光を誘電体多層膜１１側に出射させる。具体的には、変換対象光を誘電体多層膜１１によって、透過するｐ偏光と反射されるｓ偏光とに分離し、透過したｐ偏光を１／４波長板１３によって円偏光とし、この円偏光を回折格子１２によって反射し、反射した円偏光を１／４波長板１３によって偏光面が９０゜回転したｓ偏光とする。そして、このｓ偏光を誘電体多層膜１１に再入射させて透過させ、最初に反射したｓ偏光と共に出射させる。
【００３０】
誘電体多層膜１１による偏光分離と、変換後の偏光成分の出射の原理を図２を参照して説明する。図２は、誘電体多層膜１１への入射角とｐ偏光およびｓ偏光に対する誘電体多層膜１１の反射率の関係の典型例を示したものである。透過率と反射率は、透過率＋反射率＝１の関係にある。誘電体多層膜１１は、入射角が小さいときにはｐ偏光とｓ偏光の双方に対する透過率が高く、入射角が大きいときにはｐ偏光とｓ偏光の双方に対する反射率が高く、入射角が中程度のときにはｐ偏光に対する透過率が高くｓ偏光に対する反射率が高くなるように設定されている。
【００３１】
偏光変換の対象とする光は誘電体多層膜１１に所定の第１の入射角Ａで入射させる。この入射角Ａは、ｐ偏光に対する透過率が高く、ｓ偏光に対する反射率が高い範囲内とする。また、１／４波長板１３から誘電体多層膜１１へは所定の第２の入射角Ｂで入射させる。この入射角Ｂは、ｓ偏光に対する透過率が高い範囲内とする。これにより、誘電体多層膜１１によるｐ偏光とｓ偏光の分離と、ｐ偏光から変換されたｓ偏光の誘電体多層膜１１の透過の両立が可能になる。
【００３２】
回折格子１２は、入射角Ａで誘電体多層膜１１に入射してこれを透過した光を、正反射するのではなく、入射角Ｂで誘電体多層膜１１に再入射するように、回折条件を設定されている。このような回折条件は、入射角Ａ、Ｂに加えて、基板１４、１／４波長板１３および部材１２ａの屈折率および厚さを考慮して、容易に定めることができる。
【００３３】
誘電体多層膜１１の具体的構成の一例を図３に示す。この例は、屈折率１．４７のガラス製の基板１２上に、ＳｉＯ2から成る屈折率１．４６の誘電体層１１ａと、ＴｉＯ2およびＬａ2Ｏ3から成る屈折率２．１の誘電体層１１ｂを交互に、計３２層設けたものである。誘電体層１１ａ、１１ｂの厚さは、屈折率をｎで表すと、偏光変換の対象とする光の波長の１／４ｎである。
【００３４】
図３の構成の誘電体多層膜１１における入射角とｐ偏光およびｓ偏光に対する反射率の関係を図４に示す。この場合、変換対象光の誘電体多層膜１１への入射角Ａを５６．５゜、変換後の光の誘電体多層膜１１への再入射の入射角Ｂを２７．５゜または、３８．０゜とする。なお、入射角５６．５゜においては、ｐ偏光の透過率は９９．５％以上であり、ｓ偏光の反射率も９９．５％である。また、入射角２７．５゜におけるｓ偏光の透過率は９５．３％であり、入射角３８．０゜におけるｓ偏光の透過率は９７．６％である。
【００３５】
偏光変換効率（変換前の光の強度に対する変換後の光に含まれるｓ偏光の強度の比）を高めるためには、入射角Ａにおけるｐ偏光の透過率を９９％以上、入射角Ａにおけるｓ偏光の反射率を９９％以上、入射角Ｂにおけるｓ偏光の透過率を９５％以上とすることが望ましい。この設定で無偏光の光を対象として偏光変換すると、偏光変換効率は９６．５％以上となる。
【００３６】
誘電体多層膜１１の特性を図４に示したものとし、入射角ＡおよびＢをそれぞれ５６．５゜および２７．５゜とすると、無偏光の光を対象とするときの偏光変換効率は９７．１％以上となる。また、入射角ＡおよびＢをそれぞれ５６．５゜および３８．０゜とすると、無偏光の光を対象とするときの偏光変換効率は９８．３％以上となる。実際には、回折格子１２による回折効率も影響するから、偏光変換効率はこれらの計算値よりもやや低くなるが、偏光変換素子１は効率よく偏光変換を行うことができる。
【００３７】
誘電体多層膜１１への再入射の入射角Ｂにおいてｐ偏光の透過率が高いことは、変換後の光の純度に影響する可能性があるが、入射角Ａにおけるｓ偏光の反射率が高ければほとんど問題とならない。例えば、入射角Ａにおけるｓ偏光の反射率が９９％であれば、変換によって生じるｐ偏光は１％にすぎない。入射角Ｂを、ｐ偏光の透過率が４．７％の２７．５゜だけでなく、ｐ偏光の透過率が約３３％の３８．０゜とし得るのはこの理由による。
【００３８】
偏光変換素子１から出射するｓ偏光には変換前からｓ偏光であったものと、変換によりｓ偏光となったものが含まれるが、前者と後者の光路には入射角Ａと入射角Ｂの差に等しい角度差が生じる。この角度差が大きいと変換後の光の他の光学系や光学素子での取扱いが難しくなるから、入射角Ａと入射角Ｂの差はできるだけ小さくするのが望ましい。上記の設定では、入射角Ａと入射角Ｂの差は２９゜または１８．５゜であり、後の取扱いも容易である。このように、入射角Ａ、Ｂの差は３０゜以下とするのがよい。
【００３９】
偏光変換素子１の変形例である第２〜第５の実施形態の偏光変換素子２〜５の構成を図５〜図８に模式的に示す。図５に示した第２の実施形態の偏光変換素子２は、１／４波長板１３と基板１４の位置を逆にしたものであり、図６に示した第３の実施形態の偏光変換素子３は、基板１４を省略したものである。いずれの偏光変換素子２、３においても、誘電体多層膜１１は１／４波長板１３の表面に設けられている。
【００４０】
図７に示した第４の実施形態の偏光変換素子４は、回折格子１２を１／４波長板１３の表面に直接形成して、部材１２ａを省略したものである。図８に示した第５の実施形態の偏光変換素子５は、誘電体多層膜１１を１／４波長板１３の表面に設けるとともに、回折格子１２を１／４波長板１３の表面に形成して、基板１４と部材１２ａを省略したものである。
【００４１】
上記の偏光変換素子１〜５では、誘電体多層膜１１を透過した光を回折格子１２によって反射するようにしているが、ホログラムを利用した反射型の回折素子や、回折素子ではない単なるミラーを用いることも可能である。誘電体多層膜１１を透過した光をミラーによって反射するようにした第６の実施形態の偏光変換素子６の構成を図９に模式的に示す。
【００４２】
この偏光変換素子６は、偏光変換素子１の回折格子１２が形成された部材１２ａに代えて、平面状のミラー１５を備えている。ただし、ミラー１５は正反射をするため、誘電体多層膜１１と平行に配置すると、前述の入射角Ａと入射角Ｂを相違させることができない。そこで、１／４波長板１３とミラー１５の間の周辺部に厚さの異なる２つのスペーサ１６ａ、１６ｂを介装して、ミラー１５を誘電体多層膜１１に対して傾斜させている。傾斜の角度はスペーサ１６ａ、１６ｂの厚さで調節することができるし、スペーサ１６ａ、１６ｂの間隔で微調整することもできる。
【００４３】
きわめて簡素なミラーを使用する偏光変換素子６は、回折格子を使用する偏光変換素子１〜５よりも低コストで実現することが可能である。ただし、厚さが一定ではなく、偏光変換の対象とする光のビーム径が大きくなるほど厚さが増すことになるから、小型化の観点からは、回折素子を使用する方が有利であるといえる。
【００４４】
なお、上記の各実施形態では偏光変換素子とした例を示したが、本発明の偏光変換光学系は必ずしも単一の素子とする必要はなく、各構成要素を独立の部材としてもかまわない。構成要素を独立の部材とすると、反射素子である回折格子やミラーの誘電体多層膜に対する角度の調節が必要になるが、あらかじめ構成要素を一体化して単一の素子としておけば、そのような調節は不要であり、容易に利用することができる。
【００４５】
【発明の効果】
本発明の偏光変換光学系は、変換対象の光ビームに沿う方向の大きさと光ビームに垂直な方向の大きさの双方をビーム径程度にすることが可能であり、小型の光学系となる。しかも、構成要素が少ないため、作製も容易である。さらに、高価な光学要素を必要としないから、低コストで実現できる。
【００４６】
反射素子として回折素子を用いると、反射素子を誘電体多層膜に対して平行に配置することが可能になり、両者の位置関係の設定がきわめて容易になる。
【００４７】
第１の入射角での第１の偏光成分の透過率と第２の偏光成分の反射率が共に９９％以上で、第２の入射角での第２の偏光成分の透過率が９５％以上となるように誘電体多層膜を設定すると、偏光状態がどのような光であっても、損失をごく僅かに抑えつつ、偏光面の異なる偏光成分の混入がほとんどない光とすることができる。第１の入射角と第２の入射角の差を３０゜以下にすると、偏光変換後の光の他の光学素子や光学系での取扱いが容易になる。
【００４８】
また、本発明の偏光変換素子は、薄型の素子となり、変換対象の光のビーム径がいくら大きくても厚さを増す必要がない。しかも、誘電体多層膜と回折素子が固定されており、両者の角度を調節をする必要がないから、きわめて利用し易い。
【図面の簡単な説明】
【図１】  第１の実施形態の偏光変換素子の構成と偏光変換の原理を模式的に示す断面図。
【図２】  各実施形態の偏光変換素子の誘電体多層膜への入射角とｐ偏光およびｓ偏光に対する誘電体多層膜の反射率の典型的な関係を示す図。
【図３】  各実施形態の偏光変換素子の誘電体多層膜の具体的構成例を模式的に示す断面図。
【図４】  図３の構成の誘電体多層膜への入射角とｐ偏光およびｓ偏光に対する誘電体多層膜の反射率の関係を示す図。
【図５】  第２の実施形態の偏光変換素子の構成と偏光変換の原理を模式的に示す断面図。
【図６】  第３の実施形態の偏光変換素子の構成と偏光変換の原理を模式的に示す断面図。
【図７】  第４の実施形態の偏光変換素子の構成と偏光変換の原理を模式的に示す断面図。
【図８】  第５の実施形態の偏光変換素子の構成と偏光変換の原理を模式的に示す断面図。
【図９】  第６の実施形態の偏光変換素子の構成と偏光変換の原理を模式的に示す断面図。
【図１０】  従来の偏光変換光学系の構成と偏光変換の原理を模式的に示す断面図。
【図１１】  従来の偏光分離素子の構成と偏光分離の原理を模式的に示す断面図。
【図１２】  図１１の偏光分離素子を備える従来の偏光変換光学系の構成と偏光変換の原理を模式的に示す断面図。
【符号の説明】
１、２、３、４、５、６  偏光変換素子
１１            誘電体多層膜
１１ａ、１１ｂ  誘電体層
１２            回折格子
１２ａ          板状部材
１３            １／４波長板
１４            基板
１５            ミラー
１６ａ、１６ｂ  スペーサ
【図１】
0004374774.tif 000002
【図２】
0004374774.tif 000003
【図３】
0004374774.tif 000004
【図４】
0004374774.tif 000005
【図５】
0004374774.tif 000006
【図６】
0004374774.tif 000007
【図７】
0004374774.tif 000008
【図８】
0004374774.tif 000009
【図９】
0004374774.tif 000010
【図１０】
0004374774.tif 000011
【図１１】
0004374774.tif 000012
【図１２】
0004374774.tif 000013